(57)【要約】【課題】枠体に対して擦れ防止カバーを外れ難くでき、且つ擦れ防止カバーの取付け作業性を向上させることができるビニールハウスの擦れ防止具を提供する。【解決手段】本擦れ防止具は、枠体２内に弾性線材４で係止されるシート３の擦れを防止するためのビニールハウスの擦れ防止具Ａであって、弾性線材に取り付けられるクリップ７と、クリップに設けられた係止部１３に係止される擦れ防止カバー５と、を備える。【選択図】図３
2014090686.tif 000002
【特許請求の範囲】
【請求項１】
枠体内に弾性線材で係止されるシートの擦れを防止するためのビニールハウスの擦れ防止具であって、
前記弾性線材に取り付けられるクリップと、
前記クリップに設けられた係止部に係止される擦れ防止カバーと、を備えることを特徴とするビニールハウスの擦れ防止具。
【請求項２】
前記係止部は、平面略円形状に形成されている請求項１記載のビニールハウスの擦れ防止具。
【請求項３】
前記クリップは、台座と、該台座から立ち上がる第１支柱及び第２支柱と、を備え、前記係止部は、前記第１支柱及び前記第２支柱のそれぞれの先端側に設けられた分割係止部からなる請求項１又は２に記載のビニールハウスの擦れ防止具。
【請求項４】
前記第１支柱及び前記第２支柱のうちの少なくとも一方の支柱の根本側には、前記弾性線材を嵌合する嵌合部が設けられている請求項３記載のビニールハウスの擦れ防止具。
【請求項５】
前記第１支柱及び前記第２支柱のうちの少なくとも一方の支柱の先端側には、該第１支柱及び該第２支柱の間に前記弾性線材を案内する案内傾斜面が形成されている請求項４記載のビニールハウスの擦れ防止具。
【請求項６】
前記擦れ防止カバーには、前記係止部に係止する係止溝が長手方向に沿って形成されている請求項１乃至５のいずれか一項に記載のビニールハウスの擦れ防止具。
【発明の詳細な説明】
【技術分野】
【０００１】
本発明は、ビニールハウスの擦れ防止具に関し、さらに詳しくは、枠体に対して擦れ防止カバーを外れ難くできるとともに、擦れ防止カバーの取付け作業性を向上させることができるビニールハウスの擦れ防止具に関する。
【背景技術】
【０００２】
従来のビニールハウスの擦れ防止構造として、擦れ防止カバーを備えるものが一般に知られている（例えば、特許文献１参照）。この特許文献１には、例えば、図１１に示すように、枠体１０２内に弾性線材１０４を装着してシート１０３を係止し、枠体１０２の溝１０２ａの開口に擦れ防止カバー１０５を圧入装着することが開示されている。これにより、ビニールハウスの所定部位（例えば、換気部等）で用いられる巻取パイプが可動する際に、巻取パイプ又は巻取シートは擦れ防止カバーに接触することで枠体に係止されたシートに直接接触せず、シートの擦れが防止される。
【先行技術文献】
【特許文献】
【０００３】
【特許文献１】特開２００９−２７８９５５号公報
【発明の概要】
【発明が解決しようとする課題】
【０００４】
しかし、上記特許文献１の技術では、枠体１０２の溝１０２ａの開口に擦れ防止カバー１０５を圧入装着しているので、擦れ防止カバー１０５の経年劣化や圧入程度により強風時等に枠体１０２から擦れ防止カバー１０５が外れてしまう場合がある。また、長尺状の擦れ防止カバー１０５を枠体１０２の溝１０２ａに沿って圧入する必要があり、取付け作業性が悪い。
【０００５】
本発明は、上記現状に鑑みてなされたものであり、枠体に対して擦れ防止カバーを外れ難くできるとともに、擦れ防止カバーの取付け作業性を向上させることができるビニールハウスの擦れ防止具を提供することを目的とする。
【課題を解決するための手段】
【０００６】
上記問題を解決するために、請求項１に記載の発明は、枠体内に弾性線材で係止されるシートの擦れを防止するためのビニールハウスの擦れ防止具であって、前記弾性線材に取り付けられるクリップと、前記クリップに設けられた係止部に係止される擦れ防止カバーと、を備えることを要旨とする。
請求項２に記載の発明は、請求項１記載において、前記係止部は、平面略円形状に形成されていることを要旨とする。
請求項３に記載の発明は、請求項１又は２記載において、前記クリップは、台座と、該台座から立ち上がる第１支柱及び第２支柱と、を備え、前記係止部は、前記第１支柱及び前記第２支柱のそれぞれの先端側に設けられた分割係止部からなることを要旨とする。
請求項４に記載の発明は、請求項３記載において、前記第１支柱及び前記第２支柱のうちの少なくとも一方の支柱の根本側には、前記弾性線材を嵌合する嵌合部が設けられていることを要旨とする。
請求項５に記載の発明は、請求項４記載において、前記第１支柱及び前記第２支柱のうちの少なくとも一方の支柱の先端側には、該第１支柱及び該第２支柱の間に前記弾性線材を案内する案内傾斜面が形成されていることを要旨とする。
請求項６に記載の発明は、請求項１乃至５のいずれか一項に記載において、前記擦れ防止カバーには、前記係止部に係止する係止溝が長手方向に沿って形成されていることを要旨とする。
【発明の効果】
【０００７】
本発明のビニールハウスの擦れ防止具によると、弾性線材に取り付けられるクリップと、クリップに設けられた係止部に係止される擦れ防止カバーと、を備えるので、枠体内の弾性線材に取り付けられたクリップの係止部に擦れ防止カバーを係止することで枠体に対して擦れ防止カバーが取り付けられる。これにより、従来のように枠体の溝内に擦れ防止カバーを圧入装着するものに比べて、枠体に対して擦れ防止カバーを外れ難くできるとともに、擦れ防止カバーの取付け作業性を向上させることができる。
また、前記係止部が、平面略円形状に形成されている場合は、クリップの係止部に擦れ防止カバーを更に容易に係止させることができる。
また、前記クリップが、台座と、該台座から立ち上がる第１支柱及び第２支柱と、を備え、前記係止部が、前記第１支柱及び前記第２支柱のそれぞれの先端側に設けられた分割係止部からなる場合は、第１支柱及び第２支柱を弾性変形させることでクリップの係止部に擦れ防止カバーを更に容易に係止させることができる。
また、前記第１支柱及び前記第２支柱のうちの少なくとも一方の支柱の根本側に、前記弾性線材を嵌合する嵌合部が設けられている場合は、第１支柱及び第２支柱の間に弾性線材を挿入して両支柱を弾性変形させることでクリップの嵌合部に弾性線材を容易に嵌合させることができる。
また、前記第１支柱及び前記第２支柱のうちの少なくとも一方の支柱の先端側に、該第１支柱及び該第２支柱の間に前記弾性線材を案内する案内傾斜面が形成されている場合は、案内傾斜面により弾性線材が第１支柱及び第２支柱の間に案内される。よって、クリップの嵌合部に弾性線材を更に容易に嵌合させることができる。
さらに、前記擦れ防止カバーに、前記係止部に係止する係止溝が長手方向に沿って形成されている場合は、クリップの係止部に擦れ防止カバーを更に容易に係止させることができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るビニールハウスの擦れ防止具を備えるビニールハウスの擦れ防止構造の要部平面図である。
【図２】図１の要部拡大図である。
【図３】図２のＩＩＩ−ＩＩＩ線断面図である。
【図４】上記擦れ防止構造の分解斜視図である。
【図５】実施例に係るクリップの平面図である。
【図６】図５のＶＩ矢視図である。
【図７】上記擦れ防止構造の組付方法を説明するための説明図であり、（ａ）は弾性線材にクリップを取り付ける状態を示し、（ｂ）は枠体に弾性線材を取り付ける状態を示し、（ｂ）はクリップに擦れ防止カバーを取り付ける状態を示す。
【図８】上記擦れ防止構造を備えるビニールハウスの斜視図である。
【図９】その他の形態のビニールハウスの擦れ防止構造の縦断面図である。
【図１０】その他の形態のクリップを説明するための説明図である。
【図１１】従来のビニールハウスの擦れ防止構造の斜視図である。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
１．ビニールハウスの擦れ防止具
本実施形態１．に係るビニールハウスの擦れ防止具は、枠体（２）内に弾性線材（４）で係止されるシート（３）の擦れを防止するためのビニールハウスの擦れ防止具（Ａ）であって、弾性線材に取り付けられるクリップ（７）と、クリップに設けられた係止部（１３）に係止される擦れ防止カバー（５）と、を備えることを特徴とする（例えば、図１〜図４、図９及び図１０等参照）。
【００１１】
本実施形態１．に係るビニールハウスの擦れ防止具としては、例えば、上記係止部（１３）は、平面略円形状に形成されている形態（例えば、図５等参照）を挙げることができる。
【００１２】
本実施形態１．に係るビニールハウスの擦れ防止具としては、例えば、上記クリップ（７）は、台座（１０）と、台座から立ち上がる第１支柱（１１）及び第２支柱（１２）と、を備え、係止部（１３）は、第１支柱及び第２支柱のそれぞれの先端側に設けられた分割係止部（１３ａ）からなる形態（例えば、図５及び図６等参照）を挙げることができる。
【００１３】
上述の形態の場合、例えば、上記第１支柱（１１）及び第２支柱（１２）のうちの少なくとも一方の支柱の根本側には、弾性線材（４）を嵌合する嵌合部（１４）が設けられていることができる（例えば、図６等参照）。
【００１４】
上述の形態の場合、例えば、上記第１支柱（１１）及び第２支柱（１２）のうちの少なくとも一方の支柱の先端側には、第１支柱及び第２支柱の間に弾性線材（４）を案内する案内傾斜面（１５）が形成されていることができる（例えば、図６等参照）。
【００１５】
本実施形態１．に係るビニールハウスの擦れ防止具としては、例えば、上記擦れ防止カバー（５）には、係止部（１３）に係止する係止溝（８）が長手方向に沿って形成されている形態（例えば、図３及び図４等参照）を挙げることができる。
【００１６】
上述の形態の場合、例えば、上記係止溝（８）は、フック状の係止部（１３）に係止するように鉤状に形成されていることができる（例えば、図３等参照）。これにより、クリップの係止部に対して擦れ防止カバーの係止溝を更に容易に係止させることができる。
【００１７】
２．ビニールハウスの擦れ防止構造
本実施形態２．に係るビニールハウスの擦れ防止構造は、上記実施形態１．に係るビニールハウスの擦れ防止具（Ａ）を備えるビニールハウスの擦れ防止構造であって、枠体（２）内に装着された弾性線材（４）にクリップ（７）が取り付けられ、クリップの係止部（１３）に擦れ防止カバー（５）が係止されていることを特徴とする（例えば、図１〜図４、図９及び図１０等参照）。これにより、枠体に対して擦れ防止カバーを外れ難くできるとともに、擦れ防止カバーの取付け作業性を向上させることができる。
【００１８】
３．ビニールハウスの擦れ防止構造の組付方法
本実施形態２．に係るビニールハウスの擦れ防止構造の組付方法は、上記実施形態２．に係るビニールハウスの擦れ防止構造の組付方法であって、上記弾性線材（４）に対してクリップ（７）を取り付け、次に、枠体（２）内に弾性線材（４）を装着し、次いで、クリップ（７）の係止部（１３）に擦れ防止カバー（５）を係止することを特徴とする（例えば、図７等参照）。これにより、ビニールハウスの擦れ防止構造を好適に組み付けることができる。
【実施例】
【００１９】
以下、図面を用いて実施例により本発明を具体的に説明する。
【００２０】
（１）ビニールハウスの擦れ防止具の構成
本実施例に係るビニールハウスの擦れ防止具Ａは、図１〜図４に示すように、金属製で長尺状の枠体２内に係止されるシート３の擦れを防止するためのものである。このシート３は、枠体２の溝２ａ内に金属製で波状の弾性線材４を装着することで枠体２及び弾性線材４の間に係止される。また、擦れ防止具Ａは、弾性線材４に取り付けられる樹脂製のクリップ７と、このクリップ７に設けられた係止部１３に係止される樹脂製で長尺状の擦れ防止カバー５と、を備えている。
【００２１】
なお、上記枠体２、シート３、弾性線材４、擦れ防止カバー５及びクリップ７の材質、形状、大きさ等は適宜選択することができる。特に、上記擦れ防止カバー５及びクリップ７の材質としては、例えば、樹脂、ゴム、金属、セラミックス等を挙げることができる。      
【００２２】
上記擦れ防止カバー５は、図３及び図４に示すように、その上面側が円弧面状に形成されている。この擦れ防止カバー５の下面側には、クリップ７の係止部１３に係止する係止溝８が長手方向に沿って形成されている。この係止溝８は、溝内側に突出する左右の鉤片８ａを備え、鉤状に形成されている。
【００２３】
上記クリップ７は、図５及び図６に示すように、円盤状の台座１０と、この台座１０から立ち上がる第１支柱１１及び第２支柱１２と、を備えている。これら第１及び第２支柱１１、１２の間隔Ｗは、弾性線材４の直径より小さな値に設定されている（図６参照）。また、第１及び第２支柱１１、１２のそれぞれの先端側には、フック状の分割係止部１３ａ、１３ａが設けられている。これら各分割係止部１３ａ、１３ａにより平面略円形状の上記係止部１３が構成されている。
【００２４】
上記第１及び第２支柱１１、１２のそれぞれの根本側には、弾性線材４を嵌合する凹状の嵌合部１４が設けられている。これら各嵌合部１４は、各支柱１１、１２の根本側の対向する部位に配設されている。また、第１及び第２支柱１１、１２のそれぞれの先端側には、第１及び第２支柱１１、１２の間に弾性線材４を案内する案内傾斜面１５が形成されている。これら各案内傾斜面１５は、各支柱１１、１２の先端側の対向する部位に配設されている
【００２５】
（２）ビニールハウスの擦れ防止構造の構成
本実施例に係るビニールハウスの擦れ防止構造１は、図１〜図４に示すように、上記構成のビニールハウスの擦れ防止具Ａを備えている。この擦れ防止構造１は、枠体２内に装着された弾性線材４にクリップ７が取り付けられ、このクリップ７の係止部１３に擦れ防止カバー５が係止されてなされている。また、擦れ防止構造１では、擦れ防止カバー５の上面側が枠体２の溝２ａから上方に突出している。さらに、擦れ防止カバー５の側面と枠体２の溝２ａの開口縁のシート３との間に隙間Ｓ（図３参照）が形成されている。
【００２６】
なお、本実施例では、上記擦れ防止構造１として、図８中に破線で示すように、ビニールハウス６の妻面６ａの肩部に沿って配設されるものを例示する。また、ビニールハウス６の所定部位（例えば、換気部等）には、自転しつつ昇降可能な巻取パイプに巻取シートの一端を接続してなる公知の巻取構造が配設されている。
【００２７】
（３）ビニールハウスの擦れ防止構造の組付方法
次に、上記構成のビニールハウスの擦れ防止構造１の組付方法について説明する。先ず、図７（ａ）に示すように、案内傾斜面１５を介してクリップ７の各支柱１１、１２の間に弾性線材４を挿入する。そして、各支柱１１、１２の弾性変形により嵌合部１４に弾性線材４を嵌合させて弾性線材４に対してクリップ７が取り付けられる。このクリップ７の取付け作業を必要に応じて繰り返し行う。次に、図７（ｂ）に示すように、シート３を挟んで枠体２の溝２ａ内に弾性線材４を装着すると、枠体２及び弾性線材４の間にシート３が係止される。次いで、図７（ｃ）に示すように、各支柱１１、１２の弾性変形によりクリップ７の係止部１３に擦れ防止カバー５の係止溝８を係止させると、枠体２に対して擦れ防止カバー５が取り付けられて擦れ防止構造１が得られる。
【００２８】
（４）ビニールハウスの擦れ防止構造の作用
次に、上記構成のビニールハウスの擦れ防止構造１の作用について説明する。ビニールハウス６で用いられる巻取パイプが可動する際に、巻取パイプ又は巻取シートは擦れ防止カバー５に接触して枠体２に係止されたシート３に直接接触しない。よって、シート３の擦れが防止されることとなる。
【００２９】
（５）実施例の効果
以上より、本実施例のビニールハウスの擦れ防止具Ａによると、弾性線材４に取り付けられるクリップ７と、クリップ７に設けられた係止部１３に係止される擦れ防止カバー５と、を備えるので、枠体２内の弾性線材４に取り付けられたクリップ７の係止部１３に擦れ防止カバー５を係止することで枠体２に対して擦れ防止カバー５が取り付けられる。これにより、従来のように枠体の溝内に擦れ防止カバーを圧入装着するものに比べて、枠体２に対して擦れ防止カバー５を外れ難くできるとともに、擦れ防止カバー５の取付け作業性を向上させることができる。
【００３０】
また、本実施例では、係止部１３は、平面略円形状に形成されているので、クリップ７の係止部１３に擦れ防止カバー５を更に容易に係止させることができる。
【００３１】
また、本実施例では、クリップ７は、台座１０と、台座１０から立ち上がる第１支柱１１及び第２支柱１２と、を備え、係止部１３は、第１支柱１１及び第２支柱１２のそれぞれの先端側に設けられた分割係止部１３ａ、１３ａからなるので、第１支柱１１及び第２支柱１２を弾性変形させることでクリップ７の係止部１３に擦れ防止カバー５を更に容易に係止させることができる。
【００３２】
また、本実施例では、第１支柱１１及び第２支柱１２のそれぞれの根本側には、弾性線材４を嵌合する嵌合部１４が設けられているので、第１支柱１１及び第２支柱１２の間に弾性線材４を挿入して両支柱１１、１２を弾性変形させることでクリップ７の嵌合部１４に弾性線材４を容易に嵌合させることができる。
【００３３】
また、本実施例では、第１支柱１１及び第２支柱１２のそれぞれの先端側には、第１支柱１１及び第２支柱１２の間に弾性線材４を案内する案内傾斜面１５が形成されているので、案内傾斜面１５により弾性線材４が第１支柱１１及び第２支柱１２の間に案内される。よって、クリップ７の嵌合部１４に弾性線材４を更に容易に嵌合させることができる。
【００３４】
また、本実施例では、擦れ防止カバー５には、係止部１３に係止する係止溝８が長手方向に沿って形成されているので、クリップ７の係止部１３に擦れ防止カバー５を更に容易に係止させることができる。
【００３５】
さらに、本実施例では、係止溝８は、フック状の係止部１３に係止するように鉤状に形成されているので、クリップ７の係止部１３に擦れ防止カバー５の係止溝８を更に容易に係止させることができる。
【００３６】
尚、本発明においては、上記実施例に限られず、目的、用途に応じて本発明の範囲内で種々変更した実施例とすることができる。すなわち、上記実施例では、ビニールハウス６の妻面６ａの肩部に沿って配設される擦れ防止構造１を例示したが、これに限定されず、例えば、図８中に仮想線で示すように、ビニールハウス６の妻面６ａに沿って配設される擦れ防止構造１’としたり、ビニールハウス６の平面６ｂ又は屋根面６ｃに沿って配設される擦れ防止構造１"としたりしてもよい。
【００３７】
また、上記実施例では、枠体２内に１本の弾性線材４を装着するようにしたが、これに限定されず、例えば、図９に示すように、枠体２内に２本以上の弾性線材４を重ねて装着するようにしてもよい。この場合、通常、最上段の弾性線材４にクリップ７が取り付けられる。
【００３８】
また、上記実施例では、擦れ防止カバー５に係止溝８を形成し、この係止溝８をクリップ７の係止部１３に係止するようにしたが、これに限定されず、例えば、擦れ防止カバーに多数の係止孔を形成し、この係止孔をクリップの係止部に係止するようにしてもよい。また、擦れ防止カバーに下方に突出する突起部を設け、この突起部をクリップに係止するようにしてもよい。
【００３９】
また、上記実施例では、２本の支柱１１、１２を備えるクリップ７を例示したが、これに限定されず、例えば、１本又は３本以上の支柱を備えるクリップを採用してもよい。なお、３本以上の支柱を備えるクリップを採用する場合、通常、３以上の各支柱のそれぞれの先端側に分割係止部が形成される。
【００４０】
また、上記実施例では、平面略円形状の係止部１３を例示したが、これに限定されず、例えば、平面略多角形状、平面略楕円形状、平面略異形状等の係止部としてもよい。
【００４１】
また、上記実施例では、第１及び第２支柱１１、１２のそれぞれの根本側に嵌合部１４を設けるようにしたが、これに限定されず、例えば、第１及び第２支柱１１、１２のうちの一方の支柱の根本側のみに嵌合部１４を設けるようにしてもよい。また、例えば、図１０に示すように、嵌合部１４の代わりに、弾性線材４に係止するフック状（又は半環状）等の係止部２０を設けてなるクリップ７’を採用してもよい。
【００４２】
さらに、上記実施例では、第１及び第２支柱１１、１２のそれぞれの先端側に案内傾斜面１５を設けるようにしたが、これに限定されず、例えば、第１及び第２支柱１１、１２のうちの一方の支柱の先端側のみに案内傾斜面１５を設けるようにしてもよい。
【００４３】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００４４】
本発明は上記で詳述した実施形態に限定されず、本発明の請求項に示した範囲で様々な変形または変更が可能である。
【産業上の利用可能性】
【００４５】
ビニールハウスを構成するシートの擦れを防止する技術として広く利用される。
【符号の説明】
【００４６】
２；枠体、３；シート、４；弾性線材、５；擦れ防止カバー、７，７’；クリップ、８；係止溝；１０；台座、１１；第１支柱、１２；第２支柱、１３；係止部、１３ａ；分割係止部、１４；嵌合部、１５；案内傾斜面、Ａ；ビニールハウスの擦れ防止具。
【図１】
2014090686.tif 000003
【図２】
2014090686.tif 000004
【図３】
2014090686.tif 000005
【図４】
2014090686.tif 000006
【図５】
2014090686.tif 000007
【図６】
2014090686.tif 000008
【図７】
2014090686.tif 000009
【図８】
2014090686.tif 000010
【図９】
2014090686.tif 000011
【図１０】
2014090686.tif 000012
【図１１】
2014090686.tif 000013